(57)【特許請求の範囲】
【請求項１】
モータにより駆動される回転軸により一対の施療子にマッサージ運動をさせる駆動機構を備えたマッサージ機において、
前記駆動機構は、前記回転軸に一体回転可能に装着された一対のカム部材を備え、かつ、一方の前記カム部材を前記回転軸に前記回転軸の軸方向に摺動可能に装着すると共に、一対の前記施療子を一対の前記カム部材にそれぞれ装着し、
一対の前記カム部材を収納した筒状の収納ケースから一対の前記施療子を突き出させると共に、前記収納ケースの外周に操作筒を前記回転軸の軸方向に摺動可能に装着し、
前記収納ケースに前記回転軸の軸方向に沿って複数の歯を形成すると共に、前記操作筒に前記歯と噛合・解除可能な爪を形成した解除ボタンを設け、
前記操作筒と一方の前記カム部材とを一体的に前記回転軸の軸方向に摺動して一対の前記施療子の間隔を可変できるように係合させたことを特徴とするマッサージ機。
【請求項２】
前記歯は、傾斜壁と垂直壁とを有する鋸歯状に形成され、前記垂直壁は一対の前記施療子の間隔を広げる方向の反力を受ける側に形成されたことを特徴とする請求項１記載のマッサージ機。
【請求項３】
前記カム部材は傾斜面を有し、前記カム部材の回転により前記施療子に揉みマッサージ運動をさせることを特徴とする請求項１又は請求項２記載のマッサージ機。
【発明の詳細な説明】
【０００１】
【発明の属する技術分野】
本発明は、モータにより駆動される回転軸の回転により施療子にマッサージ運動をさせるマッサージ機に関する。
【０００２】
【従来の技術】
従来より、特開平５−３９０１号公報にあるように、モータにより回転される回転軸にカムを取り付け、カムの回転により一対の施療子に揉みマッサージ運動をさせるマッサージ機が知られている。また、一対の施療子の間隔を患部に応じて可変できるようにするために、左右ねじを形成したねじ軸を設け、ねじ軸を回転させて一対の施療子の間隔を変更できるようにしている。
【０００３】
【発明が解決しようとする課題】
しかしながら、こうした従来のものでは、回転軸の他にもねじ軸を設けなければならず、マッサージ機が大型の場合はよいが、手持式のマッサージ機のように小型のものに適用しようとすると、装置が大型になり使用し難いという問題があった。
【０００４】
本発明の課題は、小型であっても施療子の間隔を可変できるマッサージ機を提供することにある。
【０００５】
【課題を解決するための手段】
かかる課題を達成すべく、本発明は課題を解決するため次の手段を取った。即ち、
モータにより駆動される回転軸により一対の施療子にマッサージ運動をさせる駆動機構を備えたマッサージ機において、
前記駆動機構は、前記回転軸に一体回転可能に装着された一対のカム部材を備え、かつ、一方の前記カム部材を前記回転軸に前記回転軸の軸方向に摺動可能に装着すると共に、一対の前記施療子を一対の前記カム部材にそれぞれ装着し、
一対の前記カム部材を収納した筒状の収納ケースから一対の前記施療子を突き出させると共に、前記収納ケースの外周に操作筒を前記回転軸の軸方向に摺動可能に装着し、
前記収納ケースに前記回転軸の軸方向に沿って複数の歯を形成すると共に、前記操作筒に前記歯と噛合・解除可能な爪を形成した解除ボタンを設け、
前記操作筒と一方の前記カム部材とを一体的に前記回転軸の軸方向に摺動して一対の前記施療子の間隔を可変できるように係合させたことを特徴とするマッサージ機がそれである。
【０００６】
また、前記歯は、傾斜壁と垂直壁とを有する鋸歯状に形成され、前記垂直壁は一対の前記施療子の間隔を広げる方向の反力を受ける側に形成されたものでもよい。あるいは、前記カム部材は傾斜面を有し、前記カム部材の回転により前記施療子に揉みマッサージ運動をさせるものでもよい。
【０００７】
【発明の実施の形態】
以下本発明の実施の形態を図面に基づいて詳細に説明する。
図１に示すように、１は本体ケースで、本体ケース１内には電動モータ２が収納されている。本体ケース１内にはギヤケース４が形成されており、電動モータ２の回転軸に取り付けられたウォームギヤ６が、ギヤケース４内に挿入されている。
【０００８】
ウォームギヤ６には、ギヤケース４に回転可能に支持された支持軸８と一体のホイールギヤ１０が噛合されており、支持軸８には小歯車１２が一体に取り付けられている。小歯車１２にはギヤケース４に回転可能に支持された回転軸１４に一体に取り付けられた大歯車１６が噛合されている。
【０００９】
回転軸１４は、本体ケース１から外部に突出されており、本体ケース１から突出した回転軸１４には、一対の傾斜カム２０，２２が所定間隔で取り付けられている。一対の傾斜カム２０，２２にはそれぞれ施療子２４，２６が係合されている。本体ケース１から突出した回転軸１４は、筒状の収納ケース２８内に収納されており、また、収納ケース２８に形成された一対の軸受け部３０，３２に回転可能に挿入されている。
【００１０】
一方の傾斜カム２０は、図１に示すように、回転軸１４に形成されたキー溝１４ａに図示しないキーを介して一体的に回転する第１カム部３４を備え、第１カム部３４は回転軸１４と同軸上に軸部３４ａを備えている。また、第１カム部３４には回転軸１４の軸方向に対して傾斜した傾斜面３４ｂが形成されており、傾斜面３４ｂと平行な傾斜面３６ａを有する第２カム部３６が第１カム部３４に一体的に回転するように嵌着されている。軸部３４ａには施療子２４が回転可能に装着されており、また、施療子２４は両傾斜面３４ｂ，３６ａにより挟持されている。
【００１１】
施療子２４は、収納ケース２８に形成された細長い開口３８から収納ケース２８の外部に突き出されている。また、施療子２４の一端は収納ケース２８に形成された回転軸１４の軸方向と平行な溝４０に挿入されて、収納ケース２８と施療子２４との相対的回転を規制している。
【００１２】
また、他方の傾斜カム２２は、回転軸１４の軸方向に摺動できないように係止されている点で傾斜カム２０と異なるが、その他の点については、他方の傾斜カム２２及び施療子２６は傾斜カム２０及び施療子２４と同様な構成であるので詳細な説明を省略する。尚、本実施形態では、電動モータ２、ウォームギヤ６、支持軸８、ホイールギヤ１０、小歯車１２、回転軸１４、大歯車１６、一対の傾斜カム２０，２２により駆動機構４１を構成している。
【００１３】
収納ケース２８は、図１に示すように、本体ケース１に挿入されると共に、本体ケース１に摺動可能に設けられた規制部材４２により、収納ケース２８と本体ケース１との相対的な回転が規制される。尚、本体ケース１と収納ケース２８とは、一体に形成してもよい。
【００１４】
一方、収納ケース２８の外周には、操作筒４４が摺動可能に装着されている。収納ケース２８には、図２、図４に示すように、回転軸１４に沿って窓４６，４８が形成されており、窓４６，４８の上下の縁に、回転軸１４に沿って複数の歯５０〜５３が形成されている。各歯５０〜５３は傾斜壁５０ａ〜５３ａと垂直壁５０ｂ〜５３ｂとを有する鋸歯状に形成されており、垂直壁５０ｂ〜５３ｂは回転軸１４と直交し、他方の施療子２６と対向して形成されている。尚、歯５０〜５３は鋸歯状に限らず、矩形形状であっても実施可能である。
【００１５】
操作筒４４には、窓４６，４８に対応して貫通孔５４，５６が形成されており、貫通孔５４，５６には解除ボタン５８，６０が摺動可能に挿入されている。また、解除ボタン５８，６０は窓４６，４８に沿って移動できるように、そして、解除ボタン５８，６０の先端は、操作筒４４の窓４６，４８から内部にまで突き出されて形成されている。解除ボタン５８，６０の外周先端には、歯５０〜５３に噛合する爪６２〜６５が形成されている。
【００１６】
図２、図３に示すように、第１カム部３４には、連結部材６６が回転可能に嵌着されており、また、第１カム部３４に装着された止め輪６８により抜け止めが図られている。連結部材６６には、解除ボタン５８，６０に対向してボス部７０，７１が形成されており、ボス部７０，７１は解除ボタン５８，６０に形成された有底孔７２，７３に摺動可能に挿入されている。
【００１７】
有底孔７２，７３にはコイルスプリング７４，７５が挿入されており、解除ボタン５８，６０を、爪６２〜６５が歯５０〜５３に噛合するように付勢している。そして、解除ボタン５８，６０をコイルスプリング７４，７５の付勢力に抗して押したときには、爪６２〜６５と歯５０〜５３との噛合が解除されるように構成されている。
【００１８】
次に、前述した本実施形態のマッサージ機の作動について説明する。
まず、電動モータ２が駆動されると、ウォームギヤ６、ホイールギヤ１０、支持軸８、小歯車１２、大歯車１６を介して回転軸１４が回転駆動される。回転軸１４の回転により、一対の傾斜カム２０，２２が回転する。両施療子２４，２６は溝４０により回転軸１４の廻りの回転が規制されているので、両傾斜面３４ｂ，３６ａの回転軸１４廻りの回転により、両施療子２４，２６は、図１に示すように、揉みマッサージ運動をする。この施療子２４，２６を患部に当てて揉みマッサージを受けることができる。
【００１９】
両施療子２４，２６の間隔を患部に合わせて変更する場合には、操作筒４４を手で握って、操作筒４４を収納ケース２８に沿って間隔が狭まる方向に摺動させる。その際、爪６２〜６５は歯５０〜５３の傾斜壁５０ａ〜５３ａに沿って移動し、コイルスプリング７４，７５の付勢力に抗して解除ボタン５８，６０を摺動させる。これにより、爪６２〜６５と歯５０〜５３との噛合が解除され、操作筒４４は収納ケース２８の外周に沿って移動する。
【００２０】
よって、解除ボタン５８，６０、ボス部７０，７１、連結部材６６を介して第１カム部３４が回転軸１４に沿って移動する。これに伴って、施療子２４が第１カム部３４と共に回転軸１４に沿って、他方の施療子２６に接近する方向に移動する。
【００２１】
両施療子２４，２６の間隔が患部に応じた適当な間隔となったときには、操作筒４４の移動を停止する。これにより、解除ボタン５８，６０がコイルスプリング７４，７５の付勢力により移動されて、爪６２〜６５が歯５０〜５３に噛合する。そして、電動モータ２を駆動して施療子２４，２６に揉みマッサージ運動を行わせる。
【００２２】
患部に当たられた施療子２４，２６には、揉みマッサージ運動により、両施療子２４，２６の間隔を広げる方向の反力が作用する。この反力は、第１カム部３４、連結部材６６、ボス部７０，７１を介して解除ボタン５８，６０に作用する。爪６２〜６５は歯５０〜５３の垂直壁５０ｂ〜５３ｂに当接して、解除ボタン５８，６０の移動を規制する。よって、一方の施療子２４に反力が加わっても、一方の施療子２４が移動することはない。
【００２３】
両施療子２４，２６の間隔が広くなる方向に移動しようとするときには、解除ボタン５８，６０を指で押して、コイルスプリング７４，７５の付勢力に抗して、爪６２〜６５と歯５０〜５３との噛合を解除する。そして、操作筒４４を把持して移動する。これにより、前述したと同様に、操作筒４４の移動に伴って、施療子２６が解除ボタン５８，６０、連結部材６６、第１カム部３４を介して移動され、両施療子２４，２６の間隔が変更される。
【００２４】
以上本発明はこの様な実施形態に何等限定されるものではなく、本発明の要旨を逸脱しない範囲において種々なる態様で実施し得る。
【００２５】
【発明の効果】
以上詳述したように本発明のマッサージ機は、小型であるにもかかわらず、操作筒により施療子を移動することができ、容易に両施療子の間隔を調整することができるという効果を奏する。また、歯を鋸歯状に形成することにより、両施療子の間隔を狭める際には、操作筒を移動するだけで間隔を変更できる。
【図面の簡単な説明】
【図１】本発明の一実施形態としてのマッサージ機の断面図である。
【図２】本実施形態のマッサージ機の図１と９０度角度が異なる要部拡大断面図である。
【図３】図２のＡＡ断面図である。
【図４】本実施形態のマッサージ機の解除ボタンと歯との拡大斜視図である。
【符号の説明】
１…本体ケース          １４…回転軸
２０，２２…傾斜カム    ２４，２６…施療子
２８…収納ケース        ４１…駆動機構
４４…操作筒            ４６，４８…窓
５０〜５３…歯          ５０ａ〜５３ａ…傾斜壁
５０ｂ〜５３ｂ…垂直壁  ５８，６０…解除ボタン
６６…連結部材
【図１】
0003940469.tif 000002
【図２】
0003940469.tif 000003
【図３】
0003940469.tif 000004
【図４】
0003940469.tif 000005